(57)【要約】      （修正有）【課題】対物レンズと、光ディスクとの干渉により光ディスクに傷や摩耗痕が付いてしまうことを防止する。【解決手段】複数種類の光ディスクに対して波長を異にする複数の光ビームを選択的に照射することにより情報の記録／再生を行う光ピックアップ装置であって、波長を異にする複数の光ビームを出射する光源と、互いに異なる仕様とされた第１及び第２の対物レンズ２３，２４と、第１及び第２の対物レンズ２３，２４が取り付けられ、第１及び第２の対物レンズ２３，２４の光軸と平行なフォーカス方向と、上記フォーカス方向と直交するトラッキング方向とに移動されるレンズホルダ１２と、レンズホルダ１２をフォーカス方向及びトラッキング方向に移動可能に支持する支持部１３とを備え、レンズホルダ１２の筐体は、ラジアル方向の一方端側又は両端側の部分が装着された光ディスクから離間するように段差１２ａ，１２ｂを有して形成されている。【選択図】図５
2009037671.tif 000002
【特許請求の範囲】
【請求項１】
ディスクテーブルの共通の載置位置に装着される複数種類の光ディスクに対して波長を異にする複数の光ビームを選択的に照射することにより情報の記録及び／又は再生を行う光ピックアップ装置において、
波長を異にする複数の光ビームを出射する光源と、
互いに異なる仕様とされた第１及び第２の対物レンズと、
上記第１及び第２の対物レンズが取り付けられ、上記第１及び第２の対物レンズの光軸と平行なフォーカス方向と、上記フォーカス方向と直交するトラッキング方向とに移動されるレンズホルダと、
上記レンズホルダを上記フォーカス方向及び上記トラッキング方向に移動可能に支持する支持部とを備え、
上記レンズホルダの筐体は、ラジアル方向の一方端側又は両端側の部分が上記装着された光ディスクから離間するように段差を有して形成されている光ピックアップ装置。
【請求項２】
上記レンズホルダの筐体には、上記第１及び第２の対物レンズのタンジェンシャル方向の両側に位置して、上記第１及び第２の対物レンズより光ディスク側に近接するように、摺動性と耐摩耗性とを有した保護手段が設けられている請求項１記載の光ピックアップ装置。
【請求項３】
上記保護手段は、分子量１００万以上の超高分子ポリエチレンよりなることを特徴とする請求項２記載の光ピックアップ装置。
【請求項４】
上記保護手段は、気孔率が２０％〜４０％程度の多孔質であることを特徴とする請求項２記載の光ピックアップ装置。
【請求項５】
上記第１及び第２の対物レンズは、上記タンジェンシャル方向に並んで配置されていることを特徴とする請求項１記載の光ピックアップ装置。
【請求項６】
上記光源は、波長４００〜４１０ｎｍ程度の第１の波長の光ビームを出射する出射部と、波長６５０〜６６０ｎｍ程度の第２の波長の光ビームを出射する出射部と、波長７６０〜８００ｎｍ程度の第３の波長の光ビームを出射する出射部とが、一又は複数の位置に設けられていることを特徴とする請求項１記載の光ピックアップ装置。
【請求項７】
複数種類の光ディスクを装着して回転させるディスクテーブルと、
上記ディスクテーブルの共通の載置位置に装着される複数種類の光ディスクに対して波長を異にする複数の光ビームを選択的に照射することにより情報の記録及び／又は再生を行う光ピックアップ装置とを備えた光ディスク装置において、
波長を異にする複数の光ビームを出射する光源と、
互いに異なる仕様とされた第１及び第２の対物レンズと、
上記第１及び第２の対物レンズが取り付けられ、上記第１及び第２の対物レンズの光軸と平行なフォーカス方向と、上記フォーカス方向と直交するトラッキング方向とに移動されるレンズホルダと、
上記レンズホルダを上記フォーカス方向及び上記トラッキング方向に移動可能に支持する支持部とを備え、
上記レンズホルダの筐体は、ラジアル方向の一方端側又は両端側の部分が上記装着された光ディスクから離間するように段差を有して形成されている光ディスク装置。
【発明の詳細な説明】
【技術分野】
【０００１】
本発明は、光ディスクに対して情報信号の記録及び／又は再生を行う光ピックアップ装置であって、その光路内に設けられる光学素子を光軸方向に駆動させる光学素子駆動手段を備える光ピックアップ装置及びこれを用いた光ディスク装置に関する。
【背景技術】
【０００２】
従来、情報信号の記録媒体として、ＣＤ（Compact Disc）、ＤＶＤ(Digital Versatile Disc)等の光ディスクが用いられ、この種の光ディスクに情報信号の記録を行い、あるいは光ディスクに記録された情報信号の再生を行うための光ディスク装置があり、この光ディスク装置には、光ディスクの半径方向へ移動され、この光ディスクに対して光ビームを照射する光ピックアップ装置が設けられている。
【０００３】
このような光ピックアップ装置は、対物レンズを保持するレンズホルダを有し、このレンズホルダを、例えばフォーカス方向及びトラッキング方向に駆動させるアクチュエータを備えており、レンズホルダを駆動変位させることで、対物レンズにより集光される光ビームを光ディスクの記録層上に適切に集束させることができる。そして、かかる光ピックアップ装置において、駆動される対物レンズ及びレンズホルダと、光ディスクとが干渉し、すなわち衝突することによる損傷を防止し、又は干渉自体を回避する必要があった。この干渉は、レンズホルダが最内周部又は最外周部に位置する際の光ディスクの内外周のリブ（突起部）との衝突については、特に条件が厳しく、この衝突についても回避する必要があった。
【０００４】
上述した従来のＤＶＤ及びＣＤに対応した光ピックアップ装置は、ワーキングディスタンス（以下、「ＷＤ」ともいう。）も広かったことから、光ディスクに対する干渉による損傷を防止する上で、光ディスク内外周のリブに対する高さや径方向の制約を考慮する必要性がなかった。また、対物レンズと光ディスクとの万が一の衝突による損傷を防止するための保護部材が設けられる場合があり、このような保護部材としてのプロテクタの形状としては、樹脂材のドーナツ状の成型物をレンズ上にかぶせ、ＵＶ硬化接着剤で固定されるものが一般的であった。
【０００５】
近年、次世代光ディスクフォーマットとして、青紫色半導体レーザによる波長４０５ｎｍ程度の光ビームを用いて信号の記録再生を行う高密度記録が可能な光ディスク（以下、「高密度記録光ディスク」ともいう。）が提案されている。これらの高密度記録光ディスクに対応する光ピックアップ装置を提供するに際し、従来の使用波長が７８５ｎｍ程度のＣＤと、使用波長が６６０ｎｍ程度のＤＶＤとの互換性を有する光ピックアップ装置（以下「３波長対応光ピックアップ装置」ともいう。）が望まれる。
【０００６】
しかし、このような３波長対応光ピックアップ装置では、ワーキングディスタンスが非常に小さく、光ディスクの内外周へのアクセス時に光ディスク内外周のリブとの干渉が懸念されている。ワーキングディスタンスを拡げるには対物レンズの径を大きくするしかなく、対物レンズの径の大型化に伴い、アクチュエータのサイズが大きくなったり、重量が大きくなったりしてしまい、このことによる感度低下の発生等により記録・再生特性を満足することができないこととなる。
【０００７】
また、プロテクタの材料として、ＤＶＤ及びＣＤに対応した光ピックアップ装置では、光ディスク保護の観点から摺動性に優れたＰＯＭが用いられるのが一般的であったが、この材料で高密度記録光ディスクと衝突があると、光ディスク表面への摩耗痕付着が発生してしまい、記録層の薄い高密度記録光ディスクでは、直ぐに記録及び／又は再生のエラーの原因になってしまう。
【０００８】
また、高密度記録光ディスク専用の光ピックアップ装置では、塗布コーティングタイプを用いられていたが、この塗布コーティングタイプでは、ハードコートなしのＤＶＤやＣＤ等の光ディスクへ拭き取れない深い傷を与えてしまうという問題があった。
【０００９】
このように、高密度記録光ディスク、ＤＶＤ、ＣＤ等の複数種類の光ディスクに対して情報の記録及び／又は再生を行う光ピックアップ装置においては、対物レンズ及びレンズホルダと、光ディスクとの干渉により光ディスクに傷や摩耗痕が付いてしまうといった問題があった。
【００１０】
【特許文献１】特開２００２−１９７７０４号公報
【発明の開示】
【発明が解決しようとする課題】
【００１１】
本発明の目的は、対物レンズを保持し少なくともフォーカス方向及びトラッキング方向に駆動されるレンズホルダや、このレンズホルダに保持される対物レンズと、光ディスクとの干渉により光ディスクに傷や摩耗痕が付いてしまうことを防止することを可能とする光ピックアップ装置及びこれを用いた光ディスク装置を提供することにある。
【課題を解決するための手段】
【００１２】
この目的を達成するため、本発明に係る光ピックアップ装置は、ディスクテーブルの共通の載置位置に装着される複数種類の光ディスクに対して波長を異にする複数の光ビームを選択的に照射することにより情報の記録及び／又は再生を行う光ピックアップ装置において、波長を異にする複数の光ビームを出射する光源と、互いに異なる仕様とされた第１及び第２の対物レンズと、上記第１及び第２の対物レンズが取り付けられ、上記第１及び第２の対物レンズの光軸と平行なフォーカス方向と、上記フォーカス方向と直交するトラッキング方向とに移動されるレンズホルダと、上記レンズホルダを上記フォーカス方向及び上記トラッキング方向に移動可能に支持する支持部とを備え、上記レンズホルダの筐体は、ラジアル方向の一方端側又は両端側の部分が上記装着された光ディスクから離間するように段差を有して形成されている。
【００１３】
また、この目的を達成するため、本発明に係る光ディスク装置は、複数種類の光ディスクを装着して回転させるディスクテーブルと、上記ディスクテーブルの共通の載置位置に装着される複数種類の光ディスクに対して波長を異にする複数の光ビームを選択的に照射することにより情報の記録及び／又は再生を行う光ピックアップ装置とを備えた光ディスク装置であり、この光ディスク装置に用いる光ピックアップ装置として、上述したようなものを用いたものである。
【発明の効果】
【００１４】
本発明は、第１及び第２の対物レンズを保持するレンズホルダの筐体が、そのラジアル方向の一方端側又は両端側の部分が装着された光ディスクから離間するように段差を有して形成されていることにより、レンズホルダと、光ディスクとの干渉により光ディスクに傷や摩耗痕が付いてしまうことを防止することを可能とする。
【発明を実施するための最良の形態】
【００１５】
以下、本発明を適用した光ピックアップ装置を用いた光ディスク装置について、図面を参照して説明する。光ディスク装置１０１は、図１に示すように、光ディスク１０２に対して情報信号の記録及び／又は再生を行う記録再生装置である。
【００１６】
この光ディスク装置１０１で記録及び／又は再生を行う光ディスク１０２として、例えば、ＣＤ(Compact Disc）、ＤＶＤ（Digital Versatile Disc）、情報の追記が可能とされるＣＤ−Ｒ（Recordable）及びＤＶＤ−Ｒ（Recordable）、情報の書換えが可能とされるＣＤ−ＲＷ（ReWritable）、ＤＶＤ−ＲＷ（ReWritable）、ＤＶＤ＋ＲＷ（ReWritable）等の光ディスクや、さらに発光波長が短い４０５ｎｍ程度（青紫色）の半導体レーザを用いた高密度記録が可能な光ディスクや、光磁気ディスク等が用いられる。
【００１７】
光ディスク装置１０１は、図１に示すように、上述のような複数種類の光ディスク１０２を装着して回転させるディスクテーブルと、このディスクテーブルを回転駆動する駆動手段としてのスピンドルモータ１０３と、ディスクテーブルの共通の載置位置に装着される複数種類の光ディスク１０２に対して波長を異にする複数の光ビームを選択的に照射することにより情報の記録及び／又は再生を行う光ピックアップ装置１と、光ピックアップ装置１をその半径方向に移動させる駆動手段としての送りモータ１０５とを備えている。ここで、スピンドルモータ１０３は、システムコントローラ１０７及び制御回路部１０９により所定の回転数で駆動するように制御されている。
【００１８】
信号変復調部及びＥＣＣブロック１０８は、信号処理部１２０から出力される信号の変調、復調及びＥＣＣ（エラー訂正符号）の付加を行う。光ピックアップ装置１は、システムコントローラ１０７及び制御回路部１０９からの指令に従って回転する光ディスク１０２の信号記録面に対して光ビームを照射する。このような光ビームの照射により光ディスク１０２に対する情報信号の記録が行われ、光ディスク１０２に記録された情報信号の再生が行われる。
【００１９】
また、光ピックアップ装置１は、光ディスク１０２の信号記録面から反射される反射光ビームに基づいて、後述するような各種の光ビームを検出し、各光ビームから得られる検出信号を信号処理部１２０に供給するように構成されている。
【００２０】
信号処理部１２０は、各光ビームを検出して得られる検出信号に基づいて各種のサーボ用信号、すなわち、フォーカスエラー信号、トラッキングエラー信号を生成し、さらに、光ディスク１０２に記録された情報信号であるＲＦ信号を生成する。また、再生対象とされる記録媒体の種類に応じて、制御回路部１０９、信号変調及びＥＣＣブロック１０８等により、これらの信号に基づく復調及び誤り訂正処理等の所定の処理が行われる。
【００２１】
ここで、信号変調及びＥＣＣブロック１０８により復調された記録信号が、例えばコンピュータのデータストレージ用であれば、インタフェース１１１を介して外部コンピュータ１３０等に送出される。これにより、外部コンピュータ１３０等は光ディスク１０２に記録された信号を再生信号として受け取ることができるように構成されている。
【００２２】
また、信号変調及びＥＣＣブロック１０８により復調された記録信号がオーディオ・ビジュアル用であれば、Ｄ／Ａ、Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
【００２３】
光ピックアップ装置１には、送りモータ１０５が接続されている。光ピックアップ装置１は、送りモータ１０５の回転によって光ディスク１０２の径方向に送り操作され、光ディスク１０２上の所定の記録トラックまで移動される。スピンドルモータ１０３の制御と、送りモータ１０５の制御と、光ピックアップ装置１の対物レンズをその光軸方向のフォーカス方向及び光軸方向と直交するトラッキング方向へ移動変位させるアクチュエータの制御は、それぞれ制御回路部１０９により行われる。
【００２４】
すなわち、制御回路部１０９は、スピンドルモータ１０３の制御を行い、フォーカスエラー信号及びトラッキングエラー信号に基づいてアクチュエータの制御を行う。
【００２５】
また、制御回路部１０９は、信号処理部１２０から入力されるフォーカスエラー信号、トラッキングエラー信号、ＲＦ信号などに基づいて、光ピックアップ装置１に設けられたトラッキングコイル及びフォーカスコイルに供給するための駆動信号（駆動電流）をそれぞれ生成するように構成されている。
【００２６】
また、レーザ制御部１２１は、光ピックアップ装置１におけるレーザ光源を制御するものである。
【００２７】
尚、ここでフォーカス方向Ｆとは、光ピックアップ装置１の対物レンズ２３，２４の光軸方向をいい、タンジェンシャル方向Ｔｚとはフォーカス方向Ｆと直交する方向であって光ディスク装置１０１の円周のタンジェンシャル方向と平行する方向をいい、トラッキング方向Ｔとはフォーカス方向Ｆ及びタンジェンシャルＴｚ方向と直交する方向をいう。
【００２８】
次に、本発明が適用された光ピックアップ装置１について詳細に説明する。
【００２９】
光ピックアップ装置１は、波長を異にする複数種類の光ビームを選択的に用いて情報信号の記録又は再生が行われる複数種類の光ディスク１０２に対して、情報信号の記録及び／又は再生を行う光ディスク装置１に用いられるものであり、具体的には、波長７６０〜８００ｎｍ程度の第１の波長の光ビームを用いて情報信号の記録又は再生が行われる第１の光ディスクと、波長６５０〜６６０ｎｍ程度の第２の波長の光ビームを用いて情報信号の記録又は再生が行われる第２の光ディスクと、波長４００〜４１０ｎｍ程度の第３の波長の光ビームを用いて情報信号の記録又は再生が行われる第３の光ディスクとに対して情報信号の記録及び／又は再生を行うものとして説明する。
【００３０】
本発明が適用された光ピックアップ装置１は、上述した異なる波長の複数種類の光ビームを出射する半導体レーザ等からなる第１及び第２の光源２１，２２と、光ディスク１０２の信号記録面から反射される反射光ビームを検出する光検出素子としてのフォトダイオードと、第１及び第２の光源２１，２２からの光ビームを光ディスク１０２に導くとともに、光ディスク１０２で反射した光ビームを光検出素子に導く光学系とを有している。
【００３１】
ここで、第１の光源２１は、第１の波長の光ビームを出射させる出射部と、第２の波長の光ビームを出射させる出射部とを有しており、第２の光源２２は、第３の波長の光ビームを出射させる出射部とを有している。
【００３２】
この光ピックアップ装置１は、図２及び図３に示すように、光ディスク装置１０１の筐体内で光ディスク１０２の半径方向（以下、「ラジアル方向」ともいう。）Ｒに移動可能に設けられた各種構成部品の取り付け基台としてのピックアップベース（ＯＰベース）２０上に設けられている。
【００３３】
また、光ピックアップ装置１は、図２乃至図５に示すように光源から出射された光ビームを集光して光ディスク１０２に照射する複数の対物レンズ２３，２４を支持するレンズホルダ１２と、レンズホルダ１２からタンジェンシャル方向Ｔｚに間隔をおいて配置され取り付け基台としてのピックアップベース２０に取り付けられた支持体１３と、支持体１３に対してレンズホルダ１２をフォーカス方向Ｆ及びトラッキング方向Ｔに移動可能に支持する複数の支持アーム１４ａ〜１４ｄとを備える。このレンズホルダ１２、支持体１３及び支持アーム１４ａ〜１４ｄは、後述の各コイル５１，５２及びマグネット５３とともに、後述のように対物レンズ２３，２４をフォーカス方向Ｆ及びトラッキング方向Ｔに駆動する対物レンズ駆動機構として機能する。また、この第１及び第２の対物レンズ２３，２４は、光ピックアップ装置１の光学系の一部を構成している。
【００３４】
ここで、第１の対物レンズ２３は、第１及び第２の波長の光ビームを第１、第２の光ディスク１０２に集光させるために用いられ、第２の対物レンズ２４は、第３の波長の光ビームを第３の光ディスク１０２に集光させるために用いられる。また、第１及び第２の対物レンズ２３，２４は、タンジェンシャル方向Ｔｚに並列した配置されている。ここで、第２の対物レンズ２４は、固定部側である支持体１３側に位置して設けられ、第１の対物レンズ２３は、先端側に位置して設けられる。
【００３５】
尚、光ピックアップ装置１では、タンジェンシャル方向Ｔｚに並んで配置される複数の対物レンズ２３，２４を備えるように構成したが、対物レンズの数及び配置はこれに限られるものではなく、例えば複数の対物レンズをラジアル方向Ｒに配置するように構成してもよく、また、１つの対物レンズを備えるように構成してもよい。ここで、複数の対物レンズを設ける場合には、上述したようにタンジェンシャル方向Ｔｚに並んで配置するように構成することで後述するレンズホルダ１２のラジアル方向の寸法を小さくすることができ、光ディスク１０２とレンズホルダ１２の筐体との衝突等を回避しやすい構成とすることができる。
【００３６】
第１及び第２の光源２１，２２から出射された光ビームを光ディスク１０２に導く光学系としては、少なくとも、第１及び第２の光源２１，２２から出射された光ビームの光路を合成するビームスプリッタ２５と、ビームスプリッタ２５により光路を合成された各光ビームの発散角を変換して略平行光とするコリメータレンズ２６と、第３の波長の光ビームを透過させるとともに第１及び第２の波長の光ビームを反射して第１の対物レンズ２３に入射させる第１の立ち上げミラー２７と、第１の立ち上げミラー２７を透過された第３の波長の光ビームを反射して第２の対物レンズ２４に入射させる第２の立ち上げミラー２８と、上述した第１及び第２の対物レンズ２３，２４とが設けられている。尚、図４中Ｌ１は、第１の光源２１から出射された光ビームの光路を示し、Ｌ２は、第２の光源２２から出射された光ビームの光路を示し、Ｌ３は、ビームスプリッタ２５により合成された後の第１及び第２の光源２１，２２から出射された光ビームの光路を示している。
【００３７】
また、光ピックアップ装置１には、このコリメータレンズ２６を光軸方向に移動させる光学素子駆動手段としてのアクチュエータ３０が設けられている。コリメータレンズ２６は、アクチュエータ３０により光軸方向Ｙに移動されることで、コリメータレンズ２６を通過した後の光ビームの発散角を変化させることができ、これにより収差を補正して低減することができる。このアクチュエータ３０は、コリメータレンズ２６を保持する保持部３１と、保持部３１及びこれに保持されたコリメータレンズ２６を駆動させるための駆動モータ３４とを有する。
【００３８】
レンズホルダ１２は、図２及び図５に示すように、第１及び第２の対物レンズ２３，２４の外周面側を囲むように設けられ、第１及び第２の対物レンズ２３，２４を対物レンズ２３，２４の光軸と平行なフォーカス方向Ｆと、光軸と直交するトラッキング方向Ｔとに移動可能に支持している。尚、図５中ＲＩは、光ディスク１０２の半径方向であって内周側に向けた方向を示し、ＲＯは、光ディスク１０２の半径方向であって外周側に向けた方向を示す。
【００３９】
レンズホルダ１２のトラッキング方向Ｔに離間した両側面には、それぞれフォーカス方向Ｆに間隔をおいて一対ずつの支持アーム１４ａ，１４ｂ及び支持アーム１４ｃ、１４ｄを支持するアーム支持部１５が設けられている。同様に、支持体１３側にも、この支持アーム１４ａ〜１４ｄを支持するアーム支持部１６が設けられている。
【００４０】
また、このレンズホルダ１２には、光ディスク１０２の略半径方向であるトラッキング方向Ｔに駆動力を発生させるトラッキングコイル５１と、光ディスク１０２に近接及び離間する方向であるフォーカス方向Ｆに駆動力を発生させるフォーカスコイル５２とが取り付けられている。
【００４１】
そして、レンズホルダ１２とピックアップベース２０との間には、ヨーク１８が配設されている。ヨーク１８は、図示しない取り付け用のベースを介してピックアップベース２０に固定されている。ヨーク１８のタンジェンシャル方向Ｔｚの両側には、図２に示すように立ち上がり部が形成され、この立ち上がり部の相対向する面には、複数のマグネット１７が取り付けられている。このマグネット１７は、レンズホルダ１２の相対向する側面にそれぞれ取り付けられたトラッキングコイル５１及びフォーカスコイル５２に相対向されており、対向して配置される各コイル５１，５２に所定の磁界を与える。
【００４２】
そして、このトラッキングコイル５１及びフォーカスコイル５２に駆動用の電流が供給されると、各コイル５１，５２に供給された電流と、マグネット５３からの磁界との相互作用によって、レンズホルダ１２をトラッキング方向Ｔ及びフォーカス方向Ｆに駆動変位させる。
【００４３】
その結果、レンズホルダ１２に支持された第１及び第２の対物レンズ２３，２４が、フォーカス方向Ｆ及び／又はトラッキング方向Ｔに駆動変位され、第１及び第２の対物レンズ２３，２４を介して光ディスク１０２に照射される光ビームが光ディスク１０２の信号記録面に合焦するように制御されるフォーカス制御が行われ、光ビームが光ディスク１０２に形成された記録トラックに追従するように制御されるトラッキング制御が行われる。
【００４４】
また、この光ピックアップ装置１は、レンズホルダ１２を支持した支持体１３をベースに対して傾動可能に支持する図示しない弾性支持部材と、この弾性支持部材に傾動可能に支持された支持体１３を光ディスク１０２の傾きに応じてタンジェンシャル方向Ｔｚを軸とした軸回り方向であるチルト方向Ｔｉに傾斜させる駆動手段とを備え、この弾性支持部材及び駆動手段は、上述した対物レンズ駆動機構を構成する。この駆動手段は、支持体１３のトラッキング方向Ｔの両側面に設けられるチルトコイル５４と、ベースから立ち上げられる取付部に取り付けられるチルト用のマグネット５５とからなる。そして、チルトコイル５４に駆動用の電流が供給されると、チルトコイル５４に供給された電流と、マグネット５５からの磁界との相互作用によって、レンズホルダ１２をチルト方向Ｔｉに駆動変位させる。このように、チルトコイル５４及びマグネット５５からなる駆動手段は、支持体１３をチルト方向に傾斜させる駆動力を支持体１３に付与して、支持体１３に支持されたレンズホルダ１２及び対物レンズ２３，２４をチルト方向に傾斜させることができ、必要に応じて、静的又は動的に対物レンズ２３，２４の光軸を光ディスクに適正に調整して光ディスクの信号記録面上の光スポットを適正に調整する所謂チルト角のチルト制御を行うことができる。
【００４５】
以上のように構成された光ピックアップ装置１は、装着された光ディスク１０２の種類に応じて、第１及び第２の光源２１，２２に設けられた出射部から第１乃至第３の波長の光ビームのうち光ディスク１０２の種類に対応した波長の光ビームを出射させ、第１及び第２の対物レンズ２３，２４のうち光ディスク１０２の種類に対応した対物レンズを介して照射される光ビームが所定の記録トラックに合焦して追従するようにフォーカス制御及びトラッキング制御並びに必要に応じてチルト制御を行うことにより、光ディスク１０２に対して情報信号の記録又は再生を行うことができる。そして、光ピックアップ装置１は、光ディスク１０２の種類に応じて、上述したアクチュエータ３０を駆動させ、光路中に設けられたコリメータレンズ２６を移動させることにより、上述したような複数種類の光ディスク１０２に対する光学系の光路を共通した複数波長互換を実現した光学系の短所として発生するおそれのある収差を低減させることができ、これにより良好な記録・再生特性を実現する。
【００４６】
次に、上述したレンズホルダ１２の具体的な構成について説明する。
【００４７】
レンズホルダ１２の筐体（ハウジング）は、図５、図６及び図７に示すように、ラジアル方向Ｒの両端側の部分が装着された光ディスク１０２から離間するように段差１２ａ，１２ｂを有して形成されている。すなわち、レンズホルダ１２は、光ディスク１０２に対向する面として、第１及び第２の対物レンズ２３，２４の光ディスク１０２側の端部とフォーカス方向Ｆにおいて略同一位置に形成される第１の面１２ｃと、この第１の面１２ｃのラジアル方向Ｒの両側の部分に、光ディスク１０２に対してフォーカス方向Ｆにおいて第１の面１２ｃよりも離間した位置に逃げるように形成される第２及び第３の面１２ｄ，１２ｅとを有して形成されている。これは、上述したような３波長互換を可能とする光ピックアップ装置１は、その光路及び光学部品を各波長に対して一部又は全部を共通とする構成からワーキングディスタンス（ＷＤ）が小さくなってしまうが、このようなワーキングディスタンスの小さい機種（１ｍｍ以下）において、光ディスク１０２の内外周に存在する突起部であるリブ１０２ａ，１０２ｂとの干渉等の制約が生じるので、この光ディスク１０２との干渉を回避するためにレンズホルダ１２が、上述したように、ラジアル方向Ｒにおいて一段下げた段付き形状とされている。
【００４８】
レンズホルダ１２の筐体に設けられた段差１２ａ，１２ｂは、この段差１２ａ，１２ｂのフォーカス方向Ｆの寸法分だけ、光ディスク１０２の内外周に存在するリブ１０２ａ，１０２ｂとの干渉を防止することを可能とする。すなわち、光ディスク１０２の信号記録面と、第１の面１２ｃとのフォーカス方向の寸法がＬ０であり、光ディスク１０２の内周側リブ１０２ａの厚み（フォーカス方向の寸法）がＬ１であった場合に、段差１２ａを有さないような従来のレンズホルダでは、Ｌ０−Ｌ１＝Ｌ０１で得られる寸法Ｌ０１しか干渉に対する余裕がなく、すなわち、このレンズホルダが内周部に位置するときに装置全体に衝撃を受けた場合の不要な振動等の何らかの原因によりフォーカス方向Ｆに寸法Ｌ０１分変位してしまったときに、このレンズホルダと光ディスク１０２とが衝突してしまったのに対し、段差１２ａを有するレンズホルダ１２では、段差１２ａのフォーカス方向Ｆの寸法がＬｘであるとすると、Ｌ０１＋Ｌｘ＝Ｌ０１ｘで得られる寸法Ｌ０１ｘだけ干渉に対する余裕を有することとなり、すなわち、レンズホルダ１２が内周部に位置するときにフォーカス方向に寸法Ｌ０１分変化してしまったとしても、レンズホルダ１２と光ディスク１０２とが衝突することがなく、さらにＬｘ分未満の変位に対して衝突を防止できることとなる。
【００４９】
尚、図６中ＣＨは、ディスクテーブルに装着される際のセンターホールを示し、ＡＩＮは、情報領域（Ｉｎｆｏｒｍａｔｉｏｎ  ａｒｅａ）を示し、ＡＰＣは、パワー校正領域（Ｐｏｗｅｒ  Ｃａｌｉｂｒａｔｉｏｎ  ａｒｅａ）を示し、ＡＬＩは、リードイン領域（Ｌｅａｄ−ｉｎ  ａｒｅａ）を示している。また、一般的に、リードイン領域は、φ４６〜５０ｍｍ程度とされ、パワー校正領域は、φ４５〜４６ｍｍ程度とされ、情報領域の内側、すなわち、リブの外側は、最大φ４４ｍｍ程度とされている。さらに、内周側リブ１０２ａの厚みを示す寸法Ｌ１は、最大０．４ｍｍ程度とされ、後述の外周側リブ１０２ｂの厚みを示す寸法Ｌ２は、最大０．１ｍｍ程度とされている。
【００５０】
同様に、光ディスク１０２の外周側リブ１０２ｂの厚み（フォーカス方向の寸法）がＬ２であった場合に、段差１２ｂを有さないような従来のレンズホルダでは、Ｌ０−Ｌ２＝Ｌ０２で得られる寸法Ｌ０２しか干渉に対する余裕がなく、すなわち、このレンズホルダが外周部に位置するときにフォーカス方向Ｆに寸法Ｌ０２分変位してしまったときに、このレンズホルダと光ディスク１０２とが衝突してしまったのに対し、段差１２ｂを有するレンズホルダ１２では、段差１２ｂのフォーカス方向の寸法がＬｙであるとすると、Ｌ０２＋Ｌｙ＝Ｌ０２ｙで得られる寸法Ｌ０２ｙだけ干渉に対する余裕を有することとなり、すなわち、レンズホルダ１２が外周部に位置するときにフォーカス方向Ｆに寸法Ｌ０２分変化してしまったとしても、レンズホルダ１２と光ディスク１０２とが衝突することがなく、さらに寸法Ｌｙ分未満の変位に対して衝突を防止できることとなる。
【００５１】
このように、光ピックアップ装置１を構成するレンズホルダ１２は、その筐体が、ラジアル方向Ｒの両端側の部分が装着された光ディスク１０２から離間するように段差１２ａ，１２ｂを有して形成されることで、レンズホルダ１２と光ディスク１０２のリブ１０２ａ，１０２ｂとの干渉を防止し、レンズホルダ１２と光ディスク１０２のリブ１０２ａ，１０２ｂとが干渉することにより、光ディスク１０２に傷や摩耗痕が付いてしまうことを防止する。尚、ここで説明したレンズホルダ１２は、その筐体のラジアル方向Ｒの両端側の部分に段差１２ａ，１２ｂを有するように構成したが、本発明の光ピックアップ装置を構成するレンズホルダはこれに限られるものではなく、レンズホルダの筐体が、ラジアル方向の一方端側の部分が装着された光ディスク１０２から離間するように段差を有して形成されていればよい。すなわち、一般的に光ディスク１０２の内周側のリブ１０２ａの厚さ方向の寸法が外周側のリブ１０２ｂの厚さ方向の寸法に対して大きいことから、内周側に対向する側の一方端側の部分に段差１２ａを有していれば、少なくとも外周側に比べて干渉が発生しやすい内周側に位置するときの干渉を防止できることとなる。
【００５２】
また、レンズホルダ１２の筐体には、第１及び第２の対物レンズ２３，２４のタンジェンシャル方向Ｔｚの両側に位置して、第１及び第２の対物レンズ２３，２４及びレンズホルダ１２の最も光ディスク１０２側に近接する第１の面１２ｃより光ディスク１０２側に近接するように摺動性と耐摩耗性とを有した保護手段としてプロテクタ部材１９ａ，１９ｂが設けられている。これは、上述のようなラジアル方向Ｒにおいて一段下げた段付き形状とされたレンズホルダ１２に設けられるプロテクタ部材を、タンジェンシャル方向Ｔｚにのみ対物レンズ２３，２４を囲むような形で配置し、極力対物レンズ２３，２４の外形に近い範囲内で収める構成とされている。
【００５３】
レンズホルダ１２の筐体に設けられたプロテクタ部材１９ａ，１９ｂは、衝撃等の理由による不要な振動により万が一対物レンズ２３，２４と光ディスク１０２とが衝突した場合の光ディスク１０２に傷や摩耗痕が付いてしまうことを防止する。すなわち、第１及び第２の対物レンズ２３，２４やレンズホルダ１２の第１の面１２ｃより光ディスク１０２に近接するように設けられたプロテクタ部材１９ａ，１９ｂは、振動等によりレンズホルダ１２及び対物レンズ２３，２４と光ディスク１０２とが衝突するほど近接した場合に、光ディスク１０２に当接して、レンズホルダ１２及び対物レンズ２３，２４と光ディスク１０２との衝突を防止する。この際、プロテクタ部材１９ａ，１９ｂは、後述のように摺動性と耐摩耗性とを兼ね備えることにより、光ディスク１０２に傷や摩耗痕が付いてしまうことを防止する。
【００５４】
このようなプロテクタ部材１９ａ，１９ｂの材料としては、分子量１００万以上の超高分子ポリエチレンであって、この気孔率が２０％〜４０％程度の多孔質のものが用いられる。尚、ここで、超高分子とは、分子量１００万以上のものをいい、これに対し、高分子とは、分子量が５０万以上１００万未満のものをいい、低分子とは、分子量が数万程度のものをいう。尚、特性試験から分子量が高いほど後述の摺動性及び耐摩耗性からなるプロテクタ性能が向上することが確認できる。以下では、分子量６００万程度の用いるものとして説明する。
【００５５】
ここで、プロテクタ部材の材料について詳しく説明する。
【００５６】
近年における高密度記録光ディスクやＤＶＤ，ＣＤ等の様々な光ディスク１０２において高倍速化が進んでおり、このような高倍速化の流れから、光ディスク１０２と対物レンズ２３，２４及び／又はレンズホルダ１２とが万一衝突した際でも対物レンズ２３，２４の保護はもちろんのこと、光ディスク１０２のコンテンツ保護という観点から光ディスク１０２側へのダメージ（傷）についても極力避ける必要があり、このことからプロテクタ部材の材料としては高い摺動性や耐摩耗性が求められる。ところで、従来、プロテクタ部材として用いられたＰＯＭ（ポリアセタール）は、自己潤滑性には優れるが軟らかい、衝突による削れにより摩耗痕などの異物が光ディスク１０２側へ付着しやすく、摩耗も早いといった問題がある。具体的には、このＰＯＭからなるプロテクタ部材を、ＤＶＤ等の光ディスク１０２Ａに衝突させた場合には、図８に示すような摩耗痕Ｋ１が発生してしまうおそれがあった。また、高密度記録光ディスク１０２に対する光ピックアップ装置には、フッ素系コーティングタイプが用いられていたが、このフッ素系コーティングタイプでは硬質な混合材によりディスク保護膜に深い傷を与えてしまうといった問題があった。具体的には、フッ素系コーティングタイプのプロテクタ部材を、ハードコートが施されていない光ディスク１０２Ｂに衝突させた場合には、ディスク保護膜に図９に示すような傷Ｋ２が発生するおそれがあった。
【００５７】
これに対し、本発明を適用した光ピックアップ装置１を構成するレンズホルダ１２のプロテクタ部材１９ａ，１９ｂとしては、上述したように、その性質上耐摩耗性に優れた超高分子ポリエチレンで、且つ表面が多孔質で気孔率が２０〜４０％程度であることにより摺動性にも優れる材料からなる部材を用いることで、耐摩耗性と摺動性の両立を図るものである。尚、この多孔質の状態として、例えば、気孔率が３０％程度で、平均孔径が３０μｍ程度の連続気泡のものの、表面の状態を図１０（ａ）に示し、また断面の状態を図１０（ｂ）に示す。
【００５８】
このような材料からなるプロテクタ部材は、例えば、ハードコート無しの保護膜が比較的軟らかい光ディスク１０２に対しては多孔質による優れた摺動性によりディスク保護膜表面に傷を付けることなく、摩耗痕などの異物付着も従来のＰＯＭと比較し大幅に改善することを可能とする。
【００５９】
また、このような材料からなるプロテクタ部材は、ハードコートが施され保護膜が硬質な光ディスク１０２に対しては、ポリエチレンの特徴である耐摩耗性と多孔質の摺動性により、万一の衝突の際にもプロテクタ自身が削れることなく光ディスク１０２表面に摩耗痕などの異物付着を妨げることから、記録動作・再生動作等に悪影響を及ぼすことを防止でき、特に、高密度記録光ディスク等の記録層が保護膜表面近くにあるメディアに対しては、その効果を発揮し、異物付着による再生エラー等の問題を回避できる。
【００６０】
ここで、これらのことを確認するための実験例について図１１及び図１２を用いて説明する。図１１は、従来例としてＰＯＭからなるプロテクタ部材を設けたレンズホルダと、高密度記録光ディスクとを所定の回数衝突させた際の、すなわち衝突試験時のＳＥＲ測定結果である。尚、図１１（ａ）は、衝突前の状態を示し、図１１（ｂ）は、衝突数を１回として衝突を実施した状態を示す。
【００６１】
これに対し、図１２は、本実施例として、上述した超高分子ポリエチレン多孔質からなるプロテクタ部材を設けたレンズホルダと、高密度記録光ディスクとを繰り返し衝突させた際の、すなわち衝突試験時のＳＥＲ測定結果である。尚、図１２（ａ）は、衝突前の状態を示し、図１２（ｂ）は、衝突数を５００回として衝突を実施した状態を示す。ここで、図１１及び図１２中横軸は、プロテクタを衝突させた領域、すなわち光ディスクの半径方向のアドレス範囲（ＲＵＢ）を示し、縦軸は、シンボルエラーレート（ＳＥＲ）を示すものである。
【００６２】
図１１に示すように、ＰＯＭからなるプロテクタ部材を用いた場合には、１回衝突しただけで、異物付着による致命的なエラー値が発生してしまうのに対し、図１２に示すように、超高分子ポリエチレン多孔質からなるプロテクタ部材を用いた場合には、５００回衝突させた場合にも、発生するエラー値を許容範囲内（４．０×１０−０３以内）に抑えることが確認できる。以上のことから摩耗性と摺動性に優れた多孔質の超高分子ポリエチレン材が光ディスク装置１の対物レンズのプロテクタ部材に求められる役割・性能から最適な材料と考えられる。
【００６３】
次に、プロテクタ部材の詳細な構成について説明する。
【００６４】
一般的に、ポリエチレンは、成型性、寸法精度、接着性が非常に悪く特に分子量が１００万を超える超高分子では射出成形も困難となることから、対物レンズ及びレンズホルダ用のプロテクタ部材のような非常に精度が求められる精密小型部品には不向きな面があった。そこで、本発明を適用した光ピックアップ装置１を構成するプロテクタ部材では、図１３に示すように、厚み精度を制御した上で、シート状に切り出した超高分子ポリエチレンシート１９ａ，１９ｂの片面に非常に薄い相性の良い粘着層として例えば数十μｍのアクリル系両面テープ１９ｄを貼り付けたシートを応用し、そのシートから所望のプロテクタ形状に形成することで成型、寸法精度、接着性の課題をクリアした。尚、図１３中、１９ｅは、粘着層の成分が多孔質を通してシート表面への染み出しを防止する機能を有する超高分子ポリエチレンシート（不透層）を示し、１９ｆは、ＰＥＴセパレータを示すものである。
【００６５】
また、従来のＰＯＭ等の樹脂成型品では、ドーナツ状の成型品を対物レンズに被せＵＶ接着していたり、高密度記録光ディスク用として使われているフッ素系の塗布コーティングタイプでは、コーティングにマスク工程、塗布工程、焼成工程等の複数工程が必要であり、大規模設備を必要とするためコストも非常に高くなっていたのに対し、上述した超高分子ポリエチレン多孔質からなるプロテクタ部材は、製作工程としてシート材の打ち抜きで済み、光ピックアップ装置全体としての組立工程でもプロテクタをレンズホルダ１２に貼り付けるのみといったように部品コストや生産性の向上にも寄与するものである。
【００６６】
以上のように、プロテクタ部材１９ａ，１９ｂは、超高分子ポリエチレンであって、気孔率が２０％〜４０％程度の多孔質のものからなることで、摺動性及び耐摩耗性を発揮でき、レンズホルダ１２の筐体の、第１及び第２の対物レンズ２３，２４のタンジェンシャル方向Ｔｚの両側に位置して、第１及び第２の対物レンズ２３，２４並びにレンズホルダ１２より光ディスク１０２側に近接するように設けられていることから、衝撃等により不要な振動等が発生した場合にも光ディスク１０２と当接することで、レンズホルダ１２及び対物レンズ２３，２４と、光ディスク１０２との衝突を防止するとともに、上述の摺動性及び耐摩耗性により、従来のプロテクタ部材では問題となっていた光ディスク１０２に傷や摩耗痕が発生することを防止することができる。
【００６７】
本発明が適用された光ピックアップ装置１は、波長を異にする複数の光ビームを出射する光源２１，２２と、複数種類の光ディスクのフォーマット及び使用波長に応じた、互いに異なる仕様とされた第１及び第２の対物レンズ２３，２４と、第１及び第２の対物レンズ２３，２４が取り付けられ、第１及び第２の対物レンズ２３，２４の光軸と平行なフォーカス方向Ｆと、フォーカス方向Ｆと直交するトラッキング方向Ｔとに移動されるレンズホルダ１２と、レンズホルダ１２をフォーカス方向Ｆ及びトラッキング方向Ｔに移動可能に支持する支持体１３とを備え、レンズホルダ１２の筐体が、ラジアル方向Ｒの一方端側又は両端側の部分が装着された光ディスク１０２から離間するように段差１２ａ，１２ｂを有して形成されている構成により、レンズホルダ１２と光ディスク１０２の内外周に存在するリブ１０２ａ，１０２ｂとの干渉を防止し、レンズホルダ１２と光ディスク１０２のリブ１０２ａ，１０２ｂとが干渉することにより、光ディスク１０２に傷や摩耗痕が付いてしまうことを防止する。すなわち、本発明が適用された光ピックアップ装置１は、ディスクテーブルの共通の載置位置に装着される複数種類の光ディスク１０２に対して波長を異にする複数の光ビームを選択的に照射するといった複数波長互換を実現した光ピックアップ装置１における懸念事項であるワーキングディスタンスが小さくなることに伴うレンズホルダ１２及び対物レンズ２３，２４と光ディスク１０２との干渉リスクを回避して、すなわち、このような干渉により光ディスク１０２に傷や摩耗痕が付いてしまうことを防止することを実現する。
【００６８】
尚、上述の本発明が適用された光ピックアップ装置１の構成は、対物レンズを一つしか有さない場合にも適用可能であるが、複数種類の光ディスクに対する互換のための光学系の都合等の理由で対物レンズが２又は３以上設けられる場合には、レンズホルダ１２の重量が増加し、衝撃の影響を受けやすいため、干渉しやすい光ディスク１０２の内外周のリブ１０２ａ，１０２ｂ部分から離間する方向に逃げるように設けられた段差１２ａ，１２ｂにより干渉を回避することが特に有効である。また、本発明が適用された光ピックアップ装置１は、２つの対物レンズ２３，２４をタンジェンシャル方向Ｔｚに並んで配置したことにより、ラジアル方向Ｒに並んで配置した場合に比べて光ディスク１０２の内外周のリブ１０２ａ，１０２ｂとの干渉リスクを低減できる。
【００６９】
さらに、本発明が適用された光ピックアップ装置１は、レンズホルダ１２の筐体に、第１及び第２の対物レンズ２３，２４のタンジェンシャル方向Ｔｚの両側に位置して、第１及び第２の対物レンズ２３，２４より光ディスク１０２側に近接するように摺動性と耐摩耗性とを有したプロテクタ部材１９ａ，１９ｂを有する構成により、装置に不要に加わった衝撃等により、レンズホルダ１２及び対物レンズ２３，２４と光ディスク１０２とが衝突するほど近接したときに、このプロテクタ部材１９ａ，１９ｂが光ディスク１０２に当接して、レンズホルダ１２及び対物レンズ２３，２４と光ディスク１０２とが衝突することを防止するとともに、このプロテクタ部材１９ａ，１９ｂの摺動性と耐摩耗性とにより光ディスク１０２に傷や摩耗痕が付いてしまうことを防止する。すなわち、本発明が適用された光ピックアップ装置１は、このプロテクタ部材１９ａ，１９ｂとして、分子量が１００万以上の超高分子ポリエチレンで且つ気孔率が２０％〜４０％程度の多孔質のものからなるように構成することで、摺動性と耐摩耗性とを発揮して、すなわち、ＤＶＤ／ＣＤ等のハードコートが設けられていない光ディスクに対して多孔質による優れた摺動性を発揮して、また、高密度記録光ディスク等のハードコートが施され比較的硬質な光ディスクに対しては、プロテクタ部材自体が削れることによる摩耗痕等の異物付着を避けるべくその耐摩耗性及び摺動性を発揮して、よって、光ディスクに傷を付けたり、記録・再生エラー等を引き起こすといった問題を解消することができる。
【００７０】
このように、本発明が適用された光ピックアップ装置１は、対物レンズ２３，２４を保持するレンズホルダ１２の干渉しやすい光ディスク１０２の内周部及び外周部のリブ１０２ａ，１０２ｂに対向する部分に離間する方向に逃げる段差１２ａ，１２ｂを設けるとともに、タンジェンシャル方向Ｔｚに並んで設けられた対物レンズ２３，２４のタンジェンシャル方向Ｔｚに摺動性と耐摩耗性を有するプロテクタ部材１９ａ，１９ｂを設けることにより、対物レンズ２３，２４を保持し少なくともフォーカス方向Ｆ及びトラッキング方向Ｔに駆動されるレンズホルダ１２や、このレンズホルダ１２に保持される対物レンズ２３，２４と、光ディスク１０２との干渉を防止するとともに、光ディスク１０２に傷や摩耗痕が付いてしまうことを防止することができる。
【００７１】
また、光ピックアップ装置１は、光ディスク装置に設けられた際に、上述のように、干渉により光ディスクに傷及び摩耗痕が発生することを防止できることにより、光ディスク装置における衝撃Ｇ感知用のジャイロ等を廃止することができる。
【００７２】
また、上述のように、本発明が適用された光ピックアップ装置１は、シート状に切り出した超高分子ポリエチレンシートを両面テープ等で設ける事によってプロテクタ部材１９ａ，１９ｂをレンズホルダ１２に取り付けることで、従来のような複雑且つ精巧な製造工程を必要とせず、簡単且つ簡易にレンズホルダ部分を構成して生産性を向上させるとともに、材料コストについても低減することが可能となる。
【００７３】
本発明が適用された光ディスク装置１０１は、複数種類の光ディスクを装着して回転させるディスクテーブルと、ディスクテーブルの共通の載置位置に装着される複数種類の光ディスク１０２に対して波長を異にする複数の光ビームを選択的に照射することにより情報の記録及び／又は再生を行う光ピックアップ装置として上述した光ピックアップ装置１とを備えることにより、光ディスクとの干渉により光ディスクに傷や摩耗痕が付いてしまうことを防止し、この傷や摩耗痕により記録又は再生に不具合が生じることを防止することができる。
【図面の簡単な説明】
【００７４】
【図１】本発明を適用した光ディスク装置の概略構成を示すブロック回路図である。
【図２】本発明を適用した光ピックアップ装置の光ディスクに対向する面側を示す斜視図である。
【図３】本発明を適用した光ピックアップ装置の図２とは反対側の面側を示す斜視図である。
【図４】本発明を適用した光ピックアップ装置を構成する各種光学部品、対物レンズを駆動するためのアクチュエータ及び光学素子を駆動するためのアクチュエータを示す斜視図である。
【図５】本発明を適用した光ピックアップ装置を構成するレンズホルダ及び支持体を示す斜視図である。
【図６】本発明を適用した光ピックアップ装置を構成するレンズホルダのタンジェンシャル方向に直交する断面における断面図である。
【図７】本発明を適用した光ピックアップ装置を構成するレンズホルダのトラッキング方向に直交する断面における断面図である。
【図８】本発明を適用した光ピックアップ装置を構成するプロテクタ部材と比較するための従来のプロテクタ部材としてＰＯＭを用いたプロテクタ部材をＤＶＤへ衝突させた際の摩耗痕の状態を示す模式図である。
【図９】本発明を適用した光ピックアップ装置を構成するプロテクタ部材と比較するための従来のプロテクタ部材としてフッ素系コーティングタイプのものを用いたプロテクタ部材をハードコートを有さない光ディスクへ衝突させた際の傷の状態を示す模式図である。
【図１０】本発明を適用した光ピックアップ装置を構成するプロテクタ部材の材料として用いられる多孔質の材料の例として気孔率が３０％程度で、平均孔径が３０μｍ程度の材料の状態を示す図であり、（ａ）は、表面の状態を示す模式図であり、（ｂ）は、断面の状態を示す模式図である。
【図１１】本発明と比較する従来のプロテクタ部材としてＰＯＭを用いたプロテクタ部材を設けたレンズホルダと、高密度記録光ディスクとを衝突させた際の、ＳＥＲ測定結果を示す図であり、（ａ）は、衝突前の測定結果を示す図であり、（ｂ）は、衝突数を１回として衝突させた後の測定結果を示す図である。
【図１２】本発明を適用した光ピックアップ装置を構成するプロテクタ部材として超高分子ポリエチレン多孔質からなるプロテクタ部材を設けたレンズホルダと、高密度記録光ディスクとを衝突させた際の、ＳＥＲ測定結果を示す図である。
【図１３】本発明を適用した光ピックアップ装置を構成するプロテクタ部材の粘着層とともにシート状に形成された状態の構成を示す断面図である。
【符号の説明】
【００７５】
１  光ピックアップ装置、  １２  レンズホルダ、  １３  支持体、  １９ａ，１９ｂ  プロテクタ部材、  ２０  ピックアップベース、  ２１  第１の光源、  ２２  第２の光源、  ２３  第１の対物レンズ、  ２４  第２の対物レンズ、  ２５  ビームスプリッタ、  ２６  コリメータレンズ、  ２７  第１の立ち上げミラー、  ２８  第２の立ち上げミラー、  ３０  アクチュエータ、  １０１  光ディスク装置、  １０２  光ディスク、  １０３  スピンドルモータ
【図１】
2009037671.tif 000003
【図２】
2009037671.tif 000004
【図３】
2009037671.tif 000005
【図４】
2009037671.tif 000006
【図５】
2009037671.tif 000007
【図６】
2009037671.tif 000008
【図７】
2009037671.tif 000009
【図８】
2009037671.tif 000010
【図９】
2009037671.tif 000011
【図１０】
2009037671.tif 000012
【図１１】
2009037671.tif 000013
【図１２】
2009037671.tif 000014
【図１３】
2009037671.tif 000015